(57)【要約】【課題】無線回線で誤りが重畳された場合であっても、録音のための記憶容量を大幅に増やすことなく録音の音声品質を向上させることが可能な無線通信装置を提供する。【解決手段】受信側として動作する場合に、受信部１０は無線回線からの入力信号に基づいて、硬判定情報に多値データである信頼度情報を加えた硬判定／信頼度情報Ａａを出力し、誤り訂正復号化部９に与えられて復号化処理が施され、続いて音声復号化部８において音声復号化された後、Ｄ／Ａ変換部７においてＤ／Ａ変換されて、音声出力部６より音声として出力される。録音時には、受信部１０から出力された硬判定／信頼度情報Ａａが録音部１２に記録され、録音部１２に記録された録音情報を再生する場合は、録音部１２に記録された硬判定／信頼度情報Ａａが読み出され、再生信号Ｒとして誤り訂正復号化部９に与えられ、誤り訂正復号化以下の処理が施され、音声出力部６から音声として出力される。【選択図】図１
2010136234.tif 000002
【特許請求の範囲】
【請求項１】
音声信号に送信処理を行って送信音声信号として無線回線に送信する送信処理部と、
前記無線回線を介して受信した受信音声信号に受信処理を行って音声信号に変換する受信処理部と、
少なくとも前記受信音声信号を記録する録音部と、を備えた無線通信装置であって、
前記受信処理部は、前記受信音声信号に復調処理を施して２値データの硬判定情報として出力するとともに前記２値データに対する多値の信頼度情報を出力する受信部を有し、
前記録音部は、前記受信部から出力される前記硬判定情報および前記信頼度情報を前記受信音声信号として記録し、前記硬判定情報および前記信頼度情報に基づいて受信音声を再生する、無線通信装置。
【請求項２】
前記受信処理部は、
前記硬判定情報および前記信頼度情報に基づいて誤り訂正復号化処理を行う誤り訂正復号化部と、前記誤り訂正復号化部より出力される誤り訂正復号化された信号に対して音声復号化処理を行う音声復号化部と、前記音声復号化部より出力される音声復号化された信号に対してＤ／Ａ変換を行うＤ／Ａ変換部とをさらに有し、
前記録音部は、前記受信音声の再生時に、記録された前記硬判定情報および前記信頼度情報を誤り訂正復号化部に与える、請求項１記載の無線通信装置。
【請求項３】
前記送信処理部は、
音声信号にＡ／Ｄ変換を行うＡ／Ｄ変換部と、Ａ／Ｄ変換された音声信号に対し音声符号化処理を行う音声符号化部と、音声符号化された信号に対して誤り訂正符号化処理を行う誤り訂正符号化部とを有し、
前記録音部は、前記音声符号化された信号に対して前記誤り訂正符号化部で誤り訂正符号化を行った音声／誤り訂正符号化情報を前記送信音声信号として併せて記録し、前記硬判定情報および前記信頼度情報に基づいた前記受信音声の再生、ならびに、前記音声／誤り訂正符号化情報に基づいた送信音声の再生を行う、請求項１記載の無線通信装置。
【請求項４】
前記受信処理部は、
前記硬判定情報および前記信頼度情報に基づいて誤り訂正復号化処理を行う誤り訂正復号化部と、前記誤り訂正復号化部より出力される誤り訂正復号化された信号に対して音声復号化処理を行う音声復号化部と、前記音声復号化部より出力される音声復号化された信号に対してＤ／Ａ変換を行うＤ／Ａ変換部とをさらに有し、
前記録音部は、
前記受信音声の再生時に、記録された前記硬判定情報および前記信頼度情報を誤り訂正復号化部に与え、
前記送信音声の再生時に、記録された前記音声／誤り訂正符号化情報を誤り訂正復号化部に与える、請求項３記載の無線通信装置。
【請求項５】
前記送信処理部は、
音声信号にＡ／Ｄ変換を行うＡ／Ｄ変換部を有し、
前記録音部は、前記Ａ／Ｄ変換部が出力するＡ／Ｄ変換情報を前記送信音声信号として併せて記録し、
前記硬判定情報および前記信頼度情報に基づいた前記受信音声の再生、ならびに、前記Ａ／Ｄ変換情報に基づいた送信音声の再生を行う、請求項１記載の無線通信装置。    
【請求項６】
前記受信処理部は、
前記硬判定情報および前記信頼度情報に基づいて誤り訂正復号化処理を行う誤り訂正復号化部と、前記誤り訂正復号化部より出力される誤り訂正復号化された信号に対して音声復号化処理を行う音声復号化部と、前記音声復号化部より出力される音声復号化された信号に対してＤ／Ａ変換を行うＤ／Ａ変換部とをさらに有し、
前記録音部は、
前記受信音声の再生時に、記録された前記硬判定情報および前記信頼度情報を誤り訂正復号化部に与え、
前記送信音声の再生時に、記録された前記Ａ／Ｄ変換情報をＤ／Ａ変換部に与える、請求項５記載の無線通信装置。
【発明の詳細な説明】
【技術分野】
【０００１】
本発明は無線通信装置に関し、特に録音機能を有する無線通信装置に関する。
【背景技術】
【０００２】
録音機能を有する無線通信装置の一例として、特許文献１の図１に示される構成が挙げられる。すなわち、特許文献１においては、受信通話の内容を記憶するに際して、音声符号化信号のみを記憶することで記憶装置の記憶容量の増加を抑制する技術が開示されている。
【０００３】
【特許文献１】特許第３０５８０６４号公報
【発明の開示】
【発明が解決しようとする課題】
【０００４】
上述のように、録音機能を有した無線通信装置においては、記憶装置の記憶容量の増加を抑制するために音声符号化信号を録音する方式を採用しているが、無線回線で誤りが重畳されているため、音声品質が悪いという問題があった。
【０００５】
本発明は、上記のような問題点を解決するためになされたものであり、無線回線で誤りが重畳された場合であっても、録音のための記憶容量を大幅に増やすことなく録音の音声品質を向上させることが可能な無線通信装置を提供することを目的とする。
【課題を解決するための手段】
【０００６】
本発明に係る請求項１記載の無線通信装置は、音声信号に送信処理を行って送信音声信号として無線回線に送信する送信処理部、前記無線回線を介して受信した受信音声信号に受信処理を行って音声信号に変換する受信処理部と、少なくとも前記受信音声信号を記録する録音部と、を備えた無線通信装置であって、前記受信処理部は、前記受信音声信号に復調処理を施して２値データの硬判定情報として出力するとともに前記２値データに対する多値の信頼度情報を出力する受信部を有し、前記録音部は、前記受信部から出力される前記硬判定情報および前記信頼度情報を前記受信音声信号として記録し、前記硬判定情報および前記信頼度情報に基づいて受信音声を再生する。
【発明の効果】
【０００７】
本発明に係る請求項１記載の無線通信装置によれば、録音部が、受信部から出力される硬判定情報および信頼度情報を受信音声信号として記録し、硬判定情報および信頼度情報に基づいて受信音声を再生するので、後続する受信処理、例えば誤り訂正復号化処理の信頼度が向上することになり、無線回線で誤りが重畳された信号であっても、硬判定情報のみを記録して再生する場合に比べて、音声品質の高い音声信号を記録することが可能となる。また、後続する受信処理、例えば音声復号化処理、誤り訂正復号化処理を実施した後のデータを録音する場合と比べても、音声品質は同じであるが、情報量は少なくて済むので、記録部の記録容量が小さくて済む。
【発明を実施するための最良の形態】
【０００８】
＜前提技術＞
本発明に係る実施の形態の説明に先立って、図５を用いて、本発明の前提技術について説明する。図５は、無線通信装置９０の構成を示すブロック図である。
【０００９】
図５に示すように無線通信装置９０は、通信時に音声信号の入力を行う音声入力部１、入力された音声信号に対してＡ／Ｄ変換（アナログをデジタルに変換）を行うＡ／Ｄ変換部２、Ａ／Ｄ変換された音声信号に対し音声符号化処理を行う音声符号化部３、音声符号化された信号に対して誤り訂正符号化処理を行う誤り訂正符号化部４および誤り訂正符号化された信号を無線回線にて送信する送信部５で送信処理部２０が構成されている。
【００１０】
また、無線回線から受信音声信号を受信し、硬判定情報および信頼度情報を出力する受信部１０、受信部１０から出力された硬判定情報および信頼度情報に基づいて誤り訂正復号化処理を行う誤り訂正復号化部９、誤り訂正復号化部９より出力される誤り訂正復号化された信号に対して音声復号化処理を行う音声復号化部８、音声復号化部８より出力される音声復号化された信号に対してＤ／Ａ変換（デジタルをアナログに変換）を行うＤ／Ａ変換部７、およびＤ／Ａ変換された音声信号の出力を行う音声出力部６で受信処理部３０が構成されている。
【００１１】
また、送信部５から無線回線へ出力し、無線回線から受信部１０への入力を行う送信／受信制御部１１と、半導体メモリ等で構成され音声信号の録音を行う録音部１２とを備えている。
【００１２】
このような構成を有する無線通信装置９０においては、送信側として動作する場合、音声入力部１から入力された音声に対応するアナログ信号は、Ａ／Ｄ変換部２においてデジタル信号に変換された後、音声符号化部３において音声符号化され、誤り訂正符号化部４で誤り訂正符号化された後、送信／受信制御部１１の制御により送信部５を経由してアンテナＡＴを介して音声信号として無線回線へ送信される。
【００１３】
一方、受信側として動作する場合、アンテナＡＴを介して受信された受信音声信号は、送信／受信制御部１１の制御により受信部１０を経由して誤り訂正復号化部９に与えられ、誤り訂正復号化された後、音声復号部８において音声復号化を行い、Ｄ／Ａ変換部７においてアナログ信号に変換された後、音声出力部６から音声として出力される。
【００１４】
そして、受信側として動作する場合に、受信部１０が出力する硬判定情報（「０」，「１」の２値データ）に多値データである信頼度情報（軟判定情報）を加えた硬判定／信頼度情報Ａａが、誤り訂正復号化部９に与えられ、誤り訂正復号化以下の処理が施されて、音声出力部６から音声として出力される。また、録音時には、音声符号化情報（あるいは音声復号化前情報）などの受信部１０が出力する硬判定情報Ａｂが録音情報として録音部１２に記録される。
【００１５】
録音部１２に記録された録音情報を再生する場合、録音部１２に記録された硬判定情報Ａｂが読み出され、再生信号Ｒとして誤り訂正復号化部９に与えられ、誤り訂正復号化以下の処理を施して、音声出力部６から音声として出力される。
【００１６】
このように、硬判定情報Ａｂを録音情報として記録し再生すると、硬判定情報Ａｂには無線回線で誤りが重畳されているので、再生される音声品質は良好ではない。
【００１７】
そこで発明者は、録音情報として音声符号化情報ではなく、硬判定情報に信頼度情報を加えた硬判定／信頼度情報を記録するという技術思想に到達した。以下、本発明に係る実施の形態として、当該技術思想を実現する構成について説明する。
【００１８】
＜実施の形態＞
図１は、本発明に係る実施の形態の無線通信装置１００の構成を示すブロック図である。図１に示すように無線通信装置１００は、通信時に音声信号の入力を行う音声入力部１、入力された音声信号に対してＡ／Ｄ変換を行うＡ／Ｄ変換部２、Ａ／Ｄ変換された音声信号に対し音声符号化処理を行う音声符号化部３、音声符号化された情報に対して誤り訂正符号化処理を行う誤り訂正符号化部４および誤り訂正符号化された情報を無線回線に送信する送信部５で送信処理部２０が構成されている。
【００１９】
また、無線回線から受信音声信号を受信し、硬判定情報および信頼度情報を出力する受信部１０、受信部１０から出力された硬判定情報および信頼度情報に基づいて誤り訂正復号化処理を行う誤り訂正復号化部９、誤り訂正復号化部９より出力される誤り訂正復号化された信号に対して音声復号化処理を行う音声復号化部８、音声復号化部８より出力される音声復号化された信号に対してＤ／Ａ変換を行うＤ／Ａ変換部７、およびＤ／Ａ変換された音声信号の出力を行う音声出力部６で受信処理部３０が構成されている。
【００２０】
また、送信部５から無線回線へ出力し、無線回線から受信部１０への入力を行う送信／受信制御部１１と、半導体メモリ等で構成され音声信号の録音を行う録音部１２とを備えている。
【００２１】
なお、基本的な送受信動作は、図５を用いて説明した無線通信装置９０と同じであり、重複する説明は省略する。
【００２２】
無線通信装置１００は、受信側として動作する場合に、受信部１０は無線回線からの入力信号に基づいて、硬判定情報（「０」，「１」の２値データ）に多値データである信頼度情報（軟判定情報）を加えた硬判定／信頼度情報Ａａを出力し、それは誤り訂正復号化部９に与えられて復号化処理が施され、続いて音声復号化部８において音声復号化された後、Ｄ／Ａ変換部７においてＤ／Ａ変換されて、音声出力部６より音声として出力される。
【００２３】
また、録音時には、受信部１０から出力された硬判定／信頼度情報Ａａが録音部１２に記録され、録音部１２に記録された録音情報を再生する場合は、録音部１２に記録された硬判定／信頼度情報Ａａが読み出され、再生信号Ｒとして誤り訂正復号化部９に与えられ、誤り訂正復号化以下の処理を施して、音声出力部６から音声として出力される。
【００２４】
ここで、図２を用いて信頼度情報について説明する。
無線回線から受信した変調された受信信号は、受信部１０内の復調部（図示せず）における復調処理で「０」、「１」の２値データ（硬判定情報）に戻されるが、復調部では、単純に２値データに戻すだけでなく、２値データの確からしさを示す情報として、多値の信頼度情報を付加して出力する。図２には、信頼度情報が３ビットの場合を表として記載しており、「０」、「１」の硬判定情報のそれぞれに対して、信頼度情報の組み合わせを併記している。
【００２５】
すなわち、図２においては、信頼度情報が（１１１）の場合は、信頼性が最も高い情報であることを表しており、（０００）の場合は。信頼性が最も低い情報であることを表しており、誤り訂正復号化部９における誤り訂正復号化処理で、この信頼度情報を用いて誤り訂正復号を行う。なお、硬判定情報と信頼度情報とを使用した復号化処理は、畳込み符号化に対するビタビ軟判定処理として一般的に知られた処理である。
【００２６】
このように、無線通信装置１００においては、録音情報として硬判定／信頼度情報Ａａを記録するので、これを再生する際には誤り訂正復号化処理の信頼度が向上することになり、無線回線で誤りが重畳された信号であっても、硬判定情報のみを記録して再生する場合に比べて、音声品質の高い音声信号を記録することが可能となる。
【００２７】
＜変形例１＞
図３は、実施の形態の変形例１に係る無線通信装置１００Ａの構成を示すブロック図である。なお、図１に示した無線通信装置１００と同一の構成については同一の符号を付し、重複する説明は省略する。
【００２８】
図３に示す無線通信装置１００Ａにおいては、受信部１０から出力される硬判定／信頼度情報Ａａとともに、音声符号化部３が出力する音声符号化された信号に対して誤り訂正符号化部４で誤り訂正符号化を行った音声／誤り訂正符号化情報Ｂを、録音情報として録音部１２Ａに与え、録音部１２Ａは両情報を記録可能なように記憶容量が設定されている。
【００２９】
そして録音部１２Ａでは録音情報を記録する際に、硬判定／信頼度情報Ａａおよび音声／誤り訂正符号化情報Ｂの何れかまたは両方を記録したかについての情報も併せて記録され、送信部５から送信される送信音声信号と、受信部１０で受信した受信音声信号とで、情報形式が異なっている場合でも、再生が可能となる。
【００３０】
すなわち、送信音声信号と受信音声信号とでは音声符号化方式など情報形式が異なることがあるが、無線通信装置１００Ａにおいては送信処理部２０の誤り訂正符号化部４が出力する音声／誤り訂正符号化情報Ｂも記録することで、通信相手機の音声信号（受信音声信号）だけでなく、自機の音声信号（送信音声信号）も録音することができる。再生に際しては音声／誤り訂正符号化情報Ｂあるいは硬判定／信頼度情報Ａａのうち再生する方が何れであるかについての情報を再生信号Ｒに含めて誤り訂正復号化部９に与えることで、送信音声も受信音声も再生することが可能となる。
【００３１】
＜変形例２＞
図４は、実施の形態の変形例２に係る無線通信装置１００Ｂの構成を示すブロック図である。なお、図１に示した無線通信装置１００と同一の構成については同一の符号を付し、重複する説明は省略する。
【００３２】
図４に示す無線通信装置１００Ｂにおいては、受信部１０から出力される硬判定／信頼度情報Ａａとともに、Ａ／Ｄ変換部２が出力するＡ／Ｄ変換情報Ｃを、録音情報として録音部１２Ｂに与え、録音部１２Ｂは両情報を記録可能なように記憶容量が設定されている。
【００３３】
そして録音部１２Ｂでは録音情報を記録する際に、硬判定／信頼度情報ＡａおよびＡ／Ｄ変換情報Ｃの何れかまたは両方を記録したかについての情報も併せて記録され、送信部５から送信される送信音声信号と、受信部１０で受信した受信音声信号とで、情報形式が異なっている場合でも、再生が可能となる。
【００３４】
すなわち、送信音声信号と受信音声信号とでは音声符号化方式など情報形式が異なることがあるが、無線通信装置１００Ｂにおいては送信処理部２０のＡ／Ｄ変換部２が出力するＡ／Ｄ変換情報Ｃも記録することで、通信相手機の音声信号（受信音声信号）だけでなく、自機の音声信号（送信音声信号）も録音することができる。再生に際しては、硬判定／信頼度情報Ａａ（すなわち受信音声）を再生信号Ｒ１として誤り訂正復号化部９に与え、Ａ／Ｄ変換情報Ｃを（すなわち送信音声）を再生信号Ｒ２としてＤ／Ａ変換部７に与えることで、送信音声も受信音声も再生することが可能となる。
【００３５】
また、送信音声信号としては、Ａ／Ｄ変換部２が出力するＡ／Ｄ変換情報Ｃを録音し、再生時にはＤ／Ａ変換部７に直接与えてＤ／Ａ変換してアナログ音声信号に変換するので、音声符号化処理や音声復号化処理を経ることがなく、音声品質の劣化を低減することができる。
【図面の簡単な説明】
【００３６】
【図１】本発明に係る実施の形態の無線通信装置の構成を示すブロック図である。
【図２】信頼度情報を説明する図である。
【図３】本発明に係る実施の形態の無線通信装置の変形例１の構成を示すブロック図である。
【図４】本発明に係る実施の形態の無線通信装置の変形例２の構成を示すブロック図である。
【図５】本発明の前提となる無線通信装置の構成を示すブロック図である。
【符号の説明】
【００３７】
２０  送信処理部、３０  受信処理部。
【図１】
2010136234.tif 000003
【図２】
2010136234.tif 000004
【図３】
2010136234.tif 000005
【図４】
2010136234.tif 000006
【図５】
2010136234.tif 000007